(57)【要約】      （修正有）【課題】片手で持つ際の安定性を極力高めることができるトレイを提供する。【解決手段】主板部下面２ｂに、親指以外の残りの指８を係合させるための係合溝９Ａが形成され、係合溝は、主板部下面上の領域であって、トレイ周縁部を跨いで親指を主板部上面２ａに至らせつつ残りの指が主板部下面上にある状態で、残りの指の可動領域Ｌを通るように配置されている。【選択図】図４
0003224559.tif 000002
【実用新案登録請求の範囲】
【請求項１】
トレイ下面が平坦面とされ、トレイ上面が物を載せる載置面とされるトレイであって、
前記トレイ下面に、手における親指以外の残りの指を係合させるための係合部が形成され、
前記係合部は、前記トレイ下面上の領域であって、トレイ周縁部を跨いで前記親指を前記トレイ上面に至らせつつ前記残りの指を前記トレイ下面上にあるようにした状態での該残りの指の可動領域を通るように配置され、
前記係合部が、前記トレイ下面に対して非面一になるように形成されている、
ことを特徴とするトレイ。
【請求項２】
請求項１において、
前記係合部が、前記トレイ下面よりも肉厚方向内方に引っ込む係合溝として形成されている、
ことを特徴とするトレイ。
【請求項３】
請求項２において、
前記係合溝内に、薄板状のリブが、該リブの肉厚方向を該係合溝の伸び方向に向けつつ、該係合溝の溝幅方向間を跨ぐようにして設けられている、
ことを特徴とするトレイ。
【請求項４】
請求項２において、
前記トレイ下面を下面において構成するベース体と、該ベース体の上面に被覆される被覆層と、を備え、
前記係合溝は、前記ベース体を該ベース体の上面外方に向けて膨出させた膨出部の内部空間により形成され、
前記被覆層は、前記膨出部を被覆することにより、該被覆層の上面を平坦な載置面としている、
ことを特徴とするトレイ。
【請求項５】
請求項１において、
前記係合部が、前記トレイ下面よりも肉厚方向外方に突出する係合突部として形成されている、
ことを特徴とするトレイ。
【請求項６】
請求項１〜５のいずれか１項において、
前記係合部が、トレイ周縁から一定距離を確保しつつ該トレイ周縁に沿って伸びている、
ことを特徴とするトレイ。
【請求項７】
請求項１〜５のいずれか１項において、
前記トレイ周縁が区画する形状が矩形形状に形成され、
前記係合部が、前記トレイ下面の長手方向両側において、前記トレイ下面の幅方向にそれぞれ伸びている、
ことを特徴とするトレイ。
【請求項８】
請求項１〜７のいずれか１項において、
前記トレイ周縁部が、前記トレイ下面及び前記トレイ上面に対して起立している、
ことを特徴とするトレイ。
【考案の詳細な説明】
【技術分野】
【０００１】
本考案は、物品を載置して運ぶトレイに関する。
【背景技術】
【０００２】
トレイには、特許文献１に示すように、トレイ上面に載置される物品が滑ることを防止すべく、底板上にスポンジ材を介して上板を配置し、その上板全体に多数の孔を形成し、その多数の各孔にピンを摺動可能にそれぞれ挿通させると共に、その各ピンを前記スポンジにより前記上板上面上方に向けて突出させたものが提案されている。このものによれば、物品を上板上面に載置すれば、その物品が乗ったピンだけが上板下方に引っ込み、他のピンが物品の横滑りを規制することになり、トレイ上面に載置される物品が滑ることを防止できる。
【０００３】
ところで、トレイ上に物品を載せて物品を運ぶ際、通常、トレイを、両手で持つことが行われるが、トレイを片方の手で持たなければならない場合もある。例えば、鞄や貴重品を片方の手に持ったときや、キャビンアテンダントが機内食を客のテーブル上に置くときである。このときには、片手の親指をトレイ周縁部を跨いでトレイ上面に至らせつつ残りの指をトレイ下面上にあるようにした上で、その親指と残りの指とによりトレイが把持される。
【先行技術文献】
【特許文献】
【０００４】
【特許文献１】実開昭５４−１２８７９０号公報
【考案の概要】
【考案が解決しようとする課題】
【０００５】
しかし、上記の場合、トレイの把持が片持ち状態になることに加えて、トレイ下面が平坦面であり、トレイの把持が、基本的に、片手における親指と残りの指とによる上下方向の挟持だけとなるため、片手で持つことができる限界重量が大きくないことと相まって、トレイを片手で持つ際の安定性は、両手でトレイを持つ場合よりもかなり低いものとならざるを得ない。
【０００６】
本考案は、上記実情に鑑みてなされたもので、その目的は、片手で持つ際の安定性を極力高めることができるトレイを提供することにある。
【０００７】
前記目的を達成するために本考案にあっては、下記（１）〜（８）とした構成とされている。
【０００８】
（１）トレイ下面が平坦面とされ、トレイ上面が物を載せる載置面とされるトレイであって、
前記トレイ下面に、手における親指以外の残りの指を係合させるための係合部が形成され、
前記係合部は、前記トレイ下面上の領域であって、トレイ周縁部を跨いで前記親指を前記トレイ上面に至らせつつ前記残りの指を前記トレイ下面上にあるようにした状態での該残りの指の可動領域を通るように配置され、
前記係合部が、前記トレイ下面に対して非面一になるように形成されている構成とされている。
【０００９】
この構成によれば、トレイ周縁部を跨いで親指をトレイ上面に至らせつつ、残りの指をトレイ下面に対して非面一とされる係合部に係合させて、トレイ周縁部を手のひら側に押し付けること等ができ、トレイの上下方向だけでなくトレイ上面（下面）に沿う方向等についてもトレイを挟持することができる。このため、トレイを片手で持つ際の安定性を、トレイ下面が単に平坦面である場合に比べて高めることができる。
【００１０】
（２）前記（１）の構成の下で、
前記係合部が、前記トレイ下面よりも肉厚方向内方に引っ込む係合溝として形成されている構成とされている。
【００１１】
この構成によれば、トレイ周縁部を跨いで親指をトレイ上面に至らせつつ残りの指を係合溝内に入れてその内壁、入口端（開口端縁）等に係合させ、具体的にトレイ周縁部を手のひら側に押し付けること等ができ、トレイの上下方向だけでなくトレイ上面（下面）に沿う方向等についてもトレイを挟持することができる。しかも、係合部としての係合溝は、トレイ下面に凸部を形成することにはならず、トレイをテーブル等に置く際、トレイ下面全体を、浮き上がらせることなくテーブル等の上面に安定的に当接させることができ、テーブル等の上面に対するトレイの安定性を確保することができる。
【００１２】
（３）前記（２）の構成の下で、
前記係合溝内に、薄板状のリブが、該リブの肉厚方向を該係合溝の伸び方向に向けつつ、該係合溝の溝幅方向間を跨ぐようにして設けられている構成とされている。
【００１３】
この構成によれば、係合溝の形成に伴いトレイの薄肉化が進むものの、リブにより、トレイの強度の補強を図ることができる。
【００１４】
（４）前記（２）の構成の下で、
前記トレイ下面を下面において構成するベース体と、該ベース体の上面に被覆される被覆層と、を備え、
前記係合溝は、前記ベース体を該ベース体の上面外方に向けて膨出させた膨出部の内部空間により形成され、
前記被覆層は、前記膨出部を被覆することにより、該被覆層の上面を平坦な載置面としている構成とされている。
【００１５】
この構成によれば、トレイ周縁部を跨いで親指をトレイ上面に至らせつつ残りの指を膨出部の内部空間（係合溝）に入れてその内壁面，入口端（開口端縁）等に係合させ、具体的にトレイ周縁部を手のひら側に押し付けること等ができ、トレイの上下方向だけでなくトレイ上面（下面）に沿う方向等についてもトレイを挟持することができる。また、係合部としての係合溝は、トレイ下面に凸部を形成することにはならず、トレイをテーブル等に置く際、トレイ下面を浮き上がらせることなくテーブル等の上面に当接させることができ、テーブル等の上面に対するトレイの安定性を確保することができる。しかも、膨出部を形成することとしていることから、ベース体を一定肉厚にすることができ、係止溝の形成に伴い、リブ等により補強を図る必要性をなくすことができる。
【００１６】
（５）前記（１）の構成の下で、
前記係合部が、前記トレイ下面よりも肉厚方向外方に突出する係合突部として形成されている構成とされている。
【００１７】
この構成によれば、トレイ周縁部を跨いで親指をトレイ上面に至らせつつ残りの指を係合突部に係合させて、具体的にトレイ周縁部を手のひら側に押し付けること等ができ、トレイの上下方向だけでなくトレイ上面（下面）に沿う方向等についてもトレイを挟持することができる。
【００１８】
（６）前記（１）〜（５）のいずれかの構成の下で、
前記係合部が、トレイ周縁から一定距離を確保しつつ該トレイ周縁に沿って伸びている構成とされている。
【００１９】
この構成によれば、トレイ周縁部を跨いで親指をトレイ上面に至るようにしてそのトレイ周縁部を握るようにさえすれば、その状態の下で、残りの指が係合部に係合することになり、的確にトレイ周縁部を手のひら側に押し付けること等ができる。このため、トレイの上下方向だけでなくトレイ上面（下面）に沿う方向等についてもトレイを挟持することができ、トレイを片手で持つ際の安定性を、トレイ下面が単に平坦面である場合に比べて高めることができる。
【００２０】
（７）前記（１）〜（５）のいずれかの構成の下で、
前記トレイ周縁が区画する形状が矩形形状に形成され、
前記係合部が、前記トレイ下面の長手方向両側において、前記トレイ下面の幅方向にそれぞれ伸びている構成とされている。
【００２１】
この構成によれば、トレイの長手方向両側のいずれかを持った状態で、トレイを片手で持つ際の安定性を高めることができ、配膳サービスにおいて、そのサービスを受ける者の前のテーブル上に、好ましい態様をもってトレイを的確に置くことができる。
【００２２】
（８）前記（１）〜（７）のいずれかの構成の下で、
前記トレイ周縁部が、前記トレイ下面及び前記トレイ上面に対して起立している構成とされている。
【００２３】
この構成によれば、トレイ周縁部を跨いで親指をトレイ上面に至らせつつ残りの指を係合突部に係合させる際、トレイ周縁部を的確に握りしめることができ、トレイを片手で持つ際の安定性を効果的に高めることができる。
【考案の効果】
【００２４】
本考案によれば、片手で持つ際の安定性を極力高めることができるトレイを提供できる。
【図面の簡単な説明】
【００２５】
【図１】第１実施形態に係るトレイを片手で持って配膳サービス等を行っている状態を示す斜視図。
【図２】第１実施形態に係るトレイの下面を示す平面図。
【図３】図２のＸ３−Ｘ３断面図。
【図４】第１実施形態に係るトレイを片手で把持している状態を説明する説明図。
【図５】第１実施形態に係るトレイ下面における係合溝内に補強リブが配置されている状態を示す部分斜視図。
【図６】第２実施形態に係るトレイを示す縦断面図。
【図７】第３実施形態に係るトレイを片手で把持している状態を説明する説明図。
【考案を実施するための形態】
【００２６】
以下、本考案の実施形態を図面に基づいて説明する。
【００２７】
図１〜図３において、符号１は、物品を載置して運ぶ第１実施形態に係るトレイを示す。このトレイは、平面視矩形形状の主板部２と、その主板部２の周縁に設けられるトレイ周縁部３と、を備えている。主板部２の上面（トレイ上面）２ａは、平坦な物品載置面とされており、その主板部２の上面２ａには、図１に示すように、水が入れられたコップ等の物品４が載置される。主板部２の下面２ｂも平坦面として形成されており、その主板部２の下面２ｂをテーブル５の上面に当接させるときには（図１参照）、その平坦面によりトレイ１の安定性が確保される。
【００２８】
前記トレイ周縁部３は、図３に示すように、主板部２の全周縁から起立するようにして形成されている。このトレイ周縁部３は、具体的には、上方に向うに従って、該トレイ周縁部３が区画する開口が拡がるように傾斜され、その傾斜上部からさらに横方向外方に若干、張り出しており、これにより、主板部上面２ａ上には、浅い空間が区画されている。このトレイ周縁部３の主板部２の起立高さは、図１、図４に示すように、このトレイ１を片手６で持つ際に、トレイ周縁部３を跨いで親指７を主板部上面２ａに至らせつつ残りの指８を主板部下面２ｂ上に置けるように設定されており、これにより、トレイ１を把持する手（片手）６は、トレイ周縁部３を握りつつ、その親指７と残りの指８とが、基本的に、主板部２を上下に挟持することになる。
【００２９】
前記主板部２の下面２ｂには、図２〜図５に示すように、係合部としての係合溝９Ａが形成されている。係合溝９Ａは、本実施形態においては、主板部下面２ｂの長手方向（図２中、左右方向）両側にそれぞれ設けられ、その各係合溝９Ａは、主板部下面２ｂの幅方向（図２中、上下方向）に伸びている。この各係合溝９Ａは、トレイ１の長手方向各端からトレイ周縁部３を跨いで親指７を主板部上面２ａに至らせつつ残りの指８を主板部下面２ｂ上にあるようにした状態の下で、その残りの指８の可動領域（図４中、符号Ｌをもって示す）を通るように設定され、各係合溝９Ａの溝幅（大きさ）は、本実施形態においては、上記残りの各指８が余裕をもって入り込むことができるものとして設定されている。これにより、トレイ１を持つ際には、上記残りの指８によりトレイ１の長手方向各端側のトレイ周縁部３を手のひら１１に押し付けることもできることになり、その押し付け方向（トレイ１を持つ手の伸び方向）を中心としたそのトレイ１の回動に対して、大きな抵抗力を発生させることができ、そのトレイ１の回動可能性を大幅に低めることができることになる。
【００３０】
前記各係合溝９Ａ内に、図２、図５に示すように、薄板状のリブ１０が配設されている。本実施形態においては、各係合溝９Ａ内に２つの半円板状のリブ１０が、その肉厚方向を係合溝９Ａの伸び方向に向けつつ、間隔をあけて配置されており、このリブ１０により、係合溝９Ａの形成に伴い薄肉化した主板部２の強度低下が補強されている。
【００３１】
したがって、物品４を載置するトレイとして、上述のトレイ１を用いれば、そのトレイ１を片手６で持つとしても、その際に、トレイ１の長手方向端からトレイ周縁部３を跨いで親指７を主板部上面２ａに至らせつつ残りの指８を係合溝９Ａ内に入れ込み、その残りの指８により、トレイの長手方向端側におけるトレイ周縁部３を手のひら１１に押し付けることができる。このため、その押し付け方向を中心としたトレイの回動方向に大きな抵抗力（トレイ周縁部３と手のひら１１との摩擦抵抗力）を付与することができることになり、親指７と残りの指８とによりトレイ１を上下方向に挟持できるだけでなく、手のひら１１への押し付け方向を中心としたトレイの回動を抑制できる。この結果、トレイを片手６で持つ際の安定性を著しく高めることができる。
【００３２】
この場合、平坦面をなす主板部下面２ｂに係合溝９Ａが形成されることから、主板部下面２ｂから突出するものは存在せず、配膳サービス等において、トレイ１をテーブル５に置く際、そのトレイ１の安定性を確保できる。
【００３３】
図６は第２実施形態、図７は第３実施形態を示す。この各実施形態において、前記第１実施形態と同一構成要素については同一符号を付してその説明を省略する。
【００３４】
図６に示す第２実施形態は、係合溝９Ａを形成するために、トレイ１に膨出加工を施したものを示している。
【００３５】
この第２実施形態に係るトレイ１は、主板部下面２ｂを下面において構成する矩形状のベース体１２と、そのベース体１２の上面を被覆する被覆層１３とによる積層構造として形成されている。ベース体１２には、その長手方向（図６中、左右方向）両側において、上方に膨出する膨出部１４がベース体１２の幅方向（図６中、紙面直交方向）に伸びるようにしてそれぞれ形成されており、その各膨出部１４の内部空間が、係合溝９Ａとして利用されている。被覆層１３は、膨出部１４を被覆しており、この被覆層１３による膨出部１４の被覆により、被覆層１３の上面は、物品４を載置するための平坦な主板部上面２ａとされている。
【００３６】
したがって、平坦な主体部上面２ａを被覆層１３上面により確保できる一方、膨出部１４の内部空間を利用して係合溝９Ａとすることから、係合溝９Ａの形成に伴って薄肉化が生ずることがなくなり（一定肉厚維持）、補強リブ１０により補強を図る必要がなくなる。勿論この場合も、トレイ１を片手６で持つ際の安定性は確保される。
【００３７】
図７に示す第３実施形態は、主板部下面２ｂに係合部として係合突部９Ｂを形成したものを示している。係合突部９Ｂは、主板部下面２ｂからトレイ１の肉厚方向外方に突出するようにして形成されており、その係合突部９Ｂは、突出量一定の一対の係合突部９Ｂとして、主板部下面２ｂの長手方向（図７中、左右方向９両側において、その主板部下面２ｂの幅方向（図７中、紙面直交方向）にそれぞれ伸びている。
【００３８】
これにより、トレイを片手６で持つ際に、トレイ１の長手方向端からトレイ周縁部３を跨いで親指７を主板部上面２ａに至らせつつ残りの指８を係合突部９Ｂに引っ掛けることができ、その残りの指８により、トレイ周縁部３を手のひら１１に押し付けることができる。このため、その押し付け方向を中心としたトレイ１の回動方向に大きな抵抗力を付与することができることになり、この場合も、親指７と残りの指８とにより、トレイ１を上下方向に挟持できるだけでなく、手のひら１１への押し付け方向を中心としたトレイ１の回動を抑制することができる。この結果、トレイを片手６で持つ際の安定性を著しく高めることができる。
【００３９】
またこの場合、突出量一定の一対の係合突部９Ｂが、主板部下面２ｂの長手方向両側において平行に配置されていることから、トレイ１がテーブル５に置かれたときには、その一対の係合突部９Ｂにより、トレイ１の主板部上面２ａは、物品載置面として水平状態となる。
【００４０】
以上実施形態について説明したが本考案にあっては、次の態様を包含する。
（１）トレイ１の平面視形状を、正方形、楕円形、円形等、種々の形状とすること。
（２）係合溝９Ａを、２つに限らず、１つ又は３つ以上とすること。
（３）係合突部９Ｂを、３つ以上設けること。
【産業上の利用可能性】
【００４１】
本考案は、トレイを片手６で持つ際の安定性を極力高めるために利用できる。
【符号の説明】
【００４２】
１  トレイ
２  主板部
２ａ  主板部上面（トレイ上面）
２ｂ  主板部下面（トレイ下面）
３  トレイ周縁部
４  物品（物）
６  片手
７  親指
８残りの指
９Ａ  係合溝（係合部）
９Ｂ  係合突部（係合部）
１０  リブ
１２  ベース体
１３  被覆層
１４  膨出部
【図１】
0003224559.tif 000003
【図２】
0003224559.tif 000004
【図３】
0003224559.tif 000005
【図４】
0003224559.tif 000006
【図５】
0003224559.tif 000007
【図６】
0003224559.tif 000008
【図７】
0003224559.tif 000009